(57)【特許請求の範囲】
【請求項１】
希望波映像信号および妨害波映像信号それぞれが所定の周波数オフセットされた第１，第２搬送波に重畳されてなるテレビ放送信号から前記第１搬送波を再生し、該再生した第１搬送波を９０度移相して検波することにより生成されるＱ信号に基づいて、前記第２搬送波に重畳された妨害波映像信号に相当する信号成分を生成する妨害波生成装置であって、
前記第２搬送波が前記第１搬送波に対してオフセットされている周波数と同一周波数の正弦波信号、および、該正弦波信号に対して９０度移相した余弦波信号を出力する発振部と、
前記Ｑ信号および前記発振部から出力される正弦波信号を入力し、両信号を乗算した信号を出力する第１乗算部と、
該第１乗算部から出力される信号を入力し、該信号のうちの水平同期周波数および水平同期周波数の高調波に相当する成分の通過を阻止し、該成分以外の成分を選択的に通過させて出力する第１フィルタ部と、
前記第１乗算部から出力される信号を入力し、該信号のうちの前記第１フィルタ部を通過しない特定の周波数成分を選択的に通過させて出力する第２フィルタ部と、
前記第１フィルタ部から出力される信号、および、前記第２フィルタ部から出力される信号を入力し、両信号を加算した信号を出力する第１加算部と、
前記第２フィルタ部から出力される信号の信号レベルが所定のしきい値以下である場合は、前記第２フィルタ部から前記第１加算部へ出力される信号の信号レベルを所定の第１レベルとする一方、所定のしきい値より大きい場合には、前記第２フィルタ部から前記第１加算部へ出力される信号の信号レベルを、前記第１レベルよりも高い第２レベルとする第１レベル変更手段と、
前記第１加算部から出力される信号、および、該信号に前記発振部から出力される余弦波信号を同期させた信号を入力し、両信号を乗算した信号を出力する第２乗算部と、
前記Ｑ信号および前記発振部から出力される余弦波信号を入力し、両信号を乗算した信号を出力する第３乗算部と、
該第３乗算部から出力される信号を入力し、該信号のうちの水平同期周波数および水平同期周波数の高調波に相当する成分の通過を阻止し、該成分以外の成分を選択的に通過させて出力する第３フィルタ部と、
前記第３乗算部から出力される信号を入力し、該信号のうちの前記第３フィルタ部を通過しない特定の周波数成分を選択的に通過させて出力する第４フィルタ部と、
前記第３フィルタ部から出力される信号、および、前記第４フィルタ部から出力される信号を入力し、両信号を加算した信号を出力する第２加算部と、
前記第４フィルタ部から出力される信号の信号レベルが所定のしきい値以下である場合は、前記第４フィルタ部から前記第２加算部へ出力される信号の信号レベルを所定の第３レベルとする一方、所定のしきい値より大きい場合には、前記第４フィルタ部から前記第２加算部へ出力される信号の信号レベルを、前記第３レベルよりも高い第４レベルとする第２レベル変更手段と、
前記第２加算部から出力される信号、および、該信号に前記発振部から出力される正弦波信号を同期させた信号を入力し、両信号を乗算した信号を出力する第４乗算部と、
前記第２乗算部から出力される信号、および、前記第４乗算部から出力される信号を入力し、両信号の差を示す成分の信号を前記妨害波映像信号に相当する信号成分として出力する差成分生成部と、を備えている
ことを特徴とする妨害波生成装置。
【請求項２】
前記第２，第４フィルタ部それぞれを特定の周波数成分が通過する際の減衰度は、前記第１，第３フィルタ部の減衰度よりも高く設定されている
ことを特徴とする請求項１に記載の妨害波生成装置。
【請求項３】
前記第１，第２レベル変更部それぞれは、
前記第２，第４フィルタ部から出力される信号の信号レベルが所定のしきい値以下である場合、前記第２，第４フィルタ部から前記第１，第２加算部へそれぞれ出力される信号の信号レベルを「０」とする一方、
所定のしきい値より大きい場合、第２，第４フィルタ部から出力される信号の信号レベルを、そのまま前記第２、第４フィルタ部から前記第１，第２加算部へそれぞれ出力される信号の信号レベルとする
ことを特徴とする請求項１または請求項２に記載の妨害波生成装置。
【請求項４】
前記第１，第２レベル変更部それぞれは、
前記第２，第４フィルタ部から出力される信号の信号レベルが所定のしきい値以下である場合、前記第２，第４フィルタ部それぞれを特定の周波数成分が通過する際の減衰度を、所定の第１減衰度に変更することによって、前記第２，第４フィルタ部から前記第１、第２加算部へそれぞれ出力される信号の信号レベルを前記第１，第３レベルとする一方、
所定のしきい値より大きければ、前記第２，第４フィルタ部それぞれを特定の周波数成分が通過する際の減衰度を、前記第１減衰度よりも低い第２減衰度に変更することによって、前記第２，第４フィルタ部から前記第１，２加算部へそれぞれ出力される信号の信号レベルを前記第２，第４レベルとする
ことを特徴とする請求項１または請求項２に記載の妨害波生成装置。
【請求項５】
希望波映像信号および妨害波映像信号それぞれが所定の周波数オフセットされた第１，第２搬送波に重畳されてなるＩＦ帯域のテレビ放送信号を直交検波することによって、該テレビ放送信号における前記第１搬送波の同相成分であるＩ信号および直交成分であるＱ信号を生成する直交検波部と、
該直交検波部により生成された前記Ｑ信号に基づいて、前記テレビ放送信号の前記第２搬送波に重畳された妨害波映像信号に相当する信号成分を生成する妨害波生成部と、
前記直交検波部により生成されたＩ信号から、前記妨害波生成部により生成された信号成分を除去する妨害波除去部と、からなる妨害波除去装置であって、
前記妨害波生成部は、請求項１から請求項４のいずれかに記載の妨害波生成装置により構成されている
ことを特徴とする妨害波除去装置。
【請求項６】
ＲＦ帯域のテレビ放送信号を選局・受信してＩＦ帯域に変換し、該ＩＦ帯域のテレビ放送信号を前記直交検波部へ出力するチューナ部と、
前記妨害波除去部により信号成分が除去された前記Ｉ信号をＲＦ帯域に変調するＲＦ変調部と、を備えている
ことを特徴とする請求項５に記載の妨害波除去装置。
【請求項７】
希望波映像信号および妨害波映像信号それぞれが所定の周波数オフセットされた第１，第２搬送波に重畳されてなるＩＦ帯域のテレビ放送信号から、該テレビ放送信号における前記第１搬送波を再生し、該再生した第１搬送波を９０度移相して検波することによりＱ信号を生成するＱ信号生成部と、
該Ｑ信号生成部により生成されたＱ信号に基づいて、前記テレビ放送信号の前記第２搬送波に重畳された妨害波映像信号に相当する信号成分を生成する妨害波生成部と、
該妨害波生成部により生成された信号成分をＩＦ帯域に変調するＩＦ変調部と、
前記ＩＦ帯域のテレビ放送信号から、前記ＩＦ変調部により変調されたＩＦ帯域の信号成分を除去する妨害波除去部と、からなる妨害波除去装置であって、
前記妨害波生成部は、請求項１から請求項４のいずれかに記載の妨害波生成装置により構成されている
ことを特徴とする妨害波除去装置。
【請求項８】
希望波映像信号および妨害波映像信号それぞれが所定の周波数オフセットされた第１，第２搬送波に重畳されてなるＲＦ帯域のテレビ放送信号を選局・受信してＩＦ帯域に変換するチューナ部と、
前記妨害波除去部により信号成分が除去された前記テレビ放送信号をＲＦ帯域に変調するＲＦ変調部と、を備えている
ことを特徴とする請求項７に記載の妨害波除去装置。
【発明の詳細な説明】
【０００１】
【発明の属する技術分野】
本発明は、テレビ放送信号に含まれた妨害波映像信号に相当する信号成分を生成する妨害波生成装置、および、テレビ放送信号から妨害波映像信号に相当する信号成分を除去する妨害波除去装置に関する。
【０００２】
【従来の技術】
テレビ放送において、隣接する地域に異なるテレビ放送信号を送信する際、それぞれのテレビ放送信号を同一チャネルの搬送波で送信しなければならない場合がある。このような場合には、一方の地域へ送信するテレビ放送信号が、他方の地域へ送信するテレビ放送信号を妨害しないように、一方の地域へ送信するテレビ放送信号の搬送波を、他方の地域へ送信するテレビ放送信号の搬送波よりも一定周波数（１０．０１ｋＨｚ：以降、オフセット周波数とする）だけオフセットさせることが行われている。
【０００３】
ただし、このように搬送波の周波数をオフセットさせると、一方のテレビ放送信号には、オフセットされた他方のテレビ放送信号が妨害波映像信号として含まれてしまい、この成分がテレビ放送に基づく映像に縦方向の縞を発生させるなど画質を低下させる要因となっていた。
【０００４】
そこで、上述の妨害波映像信号（オフセットビート信号）をテレビ放送信号から除去するための妨害波除去装置が種々提案されている。例えば、ＩＦ（Intermediate Frequency）帯域のテレビ放送信号（入力テレビジョン信号）を直交検波して生成した直交成分のＱ（Quadrature phase）信号（妨害波）から、オフセット周波数（１０．０１ｋＨｚおよび２０．０２ｋＨｚ）の信号成分をフィルタで抽出し、この抽出した信号成分を再度ＩＦ帯域に変調（変換）することにより、テレビ放送信号から除去すべき除去信号（周波数混合出力信号）を生成して、この生成した除去信号をテレビ放送信号から減算する、といった構成の妨害波除去装置（オフセットビートキャンセラ）が提案されている（特許文献１）。このような妨害波除去装置を利用すれば、テレビ放送信号から、オフセット周波数の信号成分を除去することができるため、テレビ放送に基づく映像の画質を向上させることができる。
【０００５】
【特許文献１】
特開平０９−０５５６７１号公報
【０００６】
【発明が解決しようとする課題】
しかし、上述の妨害波除去装置は、オフセット周波数の信号成分を除去信号として生成することはできるが、この除去信号には、妨害波映像信号そのものは含まれないため、テレビ放送信号から妨害波映像信号を充分に除去することができているとはいえない。妨害波映像信号は、その信号レベルによっては、テレビ放送信号に基づく映像に不要な妨害映像を重畳させてしまう恐れがあるため、テレビ放送信号に基づく映像の画質を向上させるためには除去できることが望ましい。
【０００７】
本発明は、テレビ放送信号から除去すべき信号として、テレビ放送信号に含まれるオフセット周波数の信号成分だけでなく妨害波映像信号そのものが含まれた成分の信号を生成するための技術、および、テレビ放送信号からオフセット周波数の信号成分だけでなく妨害波映像信号そのものをも除去するための技術を提供することを目的とする。
【０００８】
【課題を解決するための手段および発明の効果】
上記課題を解決するため請求項１に記載の妨害波生成装置は、テレビ放送信号から生成されるＱ信号に基づいて、第２搬送波に重畳された妨害波映像信号に相当する信号成分を生成するものである。ここで、Ｑ（Quadrature phase）信号とは、希望波映像信号および妨害波映像信号それぞれが所定の周波数だけオフセットされた第１，第２搬送波に重畳されてなるテレビ放送信号から第１搬送波を再生し、再生した第１搬送波を９０度移相して検波することにより生成される信号である。なお、上述のように生成されるＱ信号は、妨害波映像信号の成分、および、第２搬送波が第１搬送波に対してオフセットされている周波数の成分からなる信号成分である。
【０００９】
この妨害波生成装置は、第２搬送波が第１搬送波に対してオフセットされている周波数と同一周波数の正弦波信号、および、この正弦波信号に対して９０度移相した余弦波信号を出力する発振部を備えており、まず、この発振部から出力される正弦波信号とＱ信号とを入力した第１乗算部が、両信号を乗算した信号を出力する。なお、この第１乗算部から出力される信号は、Ｑ信号の周波数帯域が発振部の発振周波数分だけシフトされた信号であって、発振部から出力される各信号はＱ信号と同期していないことから、Ｑ信号に対して位相がズレた信号となっている。
【００１０】
続いて、第１乗算部から出力された信号を入力した第１フィルタ部が、この信号のうちの水平同期周波数および水平同期周波数の高調波に相当する成分の通過を阻止し、この阻止した成分以外の成分を選択的に通過させて出力する。また、第１乗算部から出力された信号を入力した第２フィルタ部が、この信号のうちの第１フィルタ部を通過しない特定の周波数成分を選択的に通過させて出力する。なお、上述の第１フィルタ部から出力される信号は、Ｑ信号に含まれる水平同期周波数および水平同期周波数の高調波（以降、水平周波数とする）に相当する成分（水平周波数に発振部の発振周波数を加えた周波数の成分）を、Ｑ信号から除去した残りの信号成分である。このような信号成分は、妨害波映像信号から水平周波数の成分が除去された残りの成分である（だだし、この段階では、周波数帯域が発振部の発信周波数分だけシフトしている）。また、第２フィルタ部から出力される信号は、Ｑ信号に含まれる成分のうち、第１フィルタ部を通過しない特定の周波数成分、つまり、水平周波数に発振部の発振周波数を加えた周波数の成分の一部が含まれた信号成分である。このような信号成分は、妨害波映像信号における水平周波数の成分のうちの一部である（ただし、この段階では、周波数帯域が発振部の発信周波数分だけシフトしている）。
【００１１】
続いて、第１フィルタ部から出力される信号、および、第２フィルタ部から出力される信号を入力した第１加算部が、両信号を加算した信号を出力する。このとき、第１レベル変更手段が、第２フィルタ部から出力される信号の信号レベルが所定のしきい値以下である場合は、第２フィルタ部から第１加算部へ出力（入力）される信号の信号レベルを所定の第１レベルとする一方、所定のしきい値より大きい場合には、第２フィルタ部から第１加算部へ出力（入力）される信号の信号レベルを、第１レベルよりも高い第２レベルとする。なお、この第１レベル変更手段は、第２フィルタ部から出力される信号の信号レベルのみに基づき、第１加算部へ入力される信号の信号レベルを変更するように構成すればよい。また、第２フィルタ部および第１フィルタ部から出力される信号の信号レベルそれぞれに基づき、第１加算部へ入力される信号の信号レベルを変更するように構成してもよい。この場合、例えば、第２フィルタ部から出力される信号の信号レベルと、第１フィルタ部から出力される信号の信号レベルとの比を示す値が特定の値以下である場合に、信号レベルを第１レベルとし、特定の値より大きい場合に、信号レベルを第２レベルとするように構成すればよい。このとき、上述の「しきい値」は、第２，第１フィルタ部から出力される信号の信号レベルそれぞれの比を示す値が特定の値となった状態のときに、第２フィルタ部から出力される信号の信号レベルを示す値となる。
【００１２】
そして、第１加算部から出力される信号、および、この信号に発振部から出力される余弦波信号を同期させた信号（発振部から出力される余弦波信号を第１加算部から出力される信号に同期させた信号）を入力した第２乗算部が、両信号を乗算した信号を出力する。なお、この第２乗算部から出力される信号は、第１加算部から出力された信号の周波数帯域が、発振部の発振周波数分だけシフトし直された信号である。
【００１３】
また、発振部から出力される余弦波信号とＱ信号とを入力した第３乗算部が、両信号を乗算した信号を出力する。なお、この第３乗算部から出力される信号は、Ｑ信号の周波数帯域が発振部の発振周波数分だけシフトされた信号であって、第１乗算部から出力される信号と同様に、Ｑ信号に対して位相がズレている。
【００１４】
続いて、第３乗算部から出力された信号を入力した第３フィルタ部が、この信号のうちの水平同期周波数および水平同期周波数の高調波に相当する成分の通過を阻止し、該成分以外の成分を選択的に通過させて出力する。また、第３乗算部から出力された信号を入力した第４フィルタ部が、この信号のうちの第３フィルタ部を通過しない特定の周波数成分を選択的に通過させて出力する。なお、上述の第３フィルタ部から出力される信号は、Ｑ信号に含まれる水平周波数（水平同期周波数および水平同期周波数の高調波）に相当する成分（水平周波数に発振部の発振周波数を加えた周波数の成分）を、Ｑ信号から除去した残りの信号成分である。このような信号成分は、妨害波映像信号から水平周波数の成分が除去された残りの成分である（だだし、この段階では、周波数帯域が発振部の発信周波数分だけシフトしている）。また、第４フィルタ部から出力される信号は、Ｑ信号に含まれる成分のうち、第３フィルタ部を通過しない特定の周波数成分、つまり、水平周波数に発振部の発振周波数を加えた周波数の成分の一部が含まれた信号成分である。このような信号成分は、妨害波映像信号における水平周波数の成分のうちの一部である（ただし、この段階では、周波数帯域が発振部の発信周波数分だけシフトしている）。
【００１５】
続いて、第３フィルタ部から出力される信号、および、第４フィルタ部から出力される信号を入力した第２加算部が、両信号を加算した信号を出力する。このとき、第２レベル変更手段が、第４フィルタ部から出力される信号の信号レベルが所定のしきい値以下である場合は、第４フィルタ部から第２加算部へ出力（入力）される信号の信号レベルを所定の第３レベルとする一方、所定のしきい値より大きい場合には、第４フィルタ部から第２加算部へ出力（入力）される信号の信号レベルを、第３レベルよりも高い第４レベルとする。なお、この第２レベル変更手段は、第４フィルタ部から出力される信号の信号レベルのみに基づき、第２加算部へ入力される信号の信号レベルを変更するように構成すればよい。また、第４フィルタ部および第３フィルタ部から出力される信号の信号レベルそれぞれに基づき、第２加算部へ入力される信号の信号レベルを変更するように構成してもよい。この場合、例えば、第４フィルタ部から出力される信号の信号レベルと、第３フィルタ部から出力される信号の信号レベルとの比を示す値が特定の値以下である場合に、信号レベルを第３レベルとし、特定の値より大きい場合に、信号レベルを第４レベルとするように構成すればよい。このとき、上述の「しきい値」は、第４，第３フィルタ部から出力される信号の信号レベルそれぞれの比を示す値が特定の値となった状態のときに、第４フィルタ部から出力される信号の信号レベルを示す値となる。
【００１６】
そして、第２加算部から出力される信号、および、この信号に発振部から出力される正弦波信号を同期させた信号（発振部から出力される余弦波信号を第２加算部から出力される信号に同期させた信号）を入力した第４乗算部が、両信号を乗算した信号を出力する。なお、この第４乗算部から出力される信号は、第２加算部から出力された信号の周波数帯域が発振部の発振周波数分だけシフトし直された信号である。
【００１７】
こうして、第２乗算部から出力される信号、および、第４乗算部から出力される信号を入力した差成分生成部が、両信号の差を示す成分の信号を妨害波映像信号に相当する信号成分として出力する。なお、この差成分生成部により生成される信号は、第１，第２搬送波のオフセットされた周波数（以降、オフセット周波数とする）の成分、および、妨害波映像信号における水平周波数の成分のうちの一部が含まれた信号である。また、この信号は、第２乗算部から出力される信号および第４乗算部から出力される信号それぞれの差をとることによって、各信号のＱ信号に対する位相のズレが打ち消された信号となっている。
【００１８】
このように構成された妨害波生成装置によれば、オフセット周波数の成分、および、妨害波映像信号における成分の一部が含まれた信号を、妨害波映像信号に相当する信号成分（つまり、テレビ放送信号から除去すべき信号成分）として生成することができる。よって、こうして生成された信号成分をテレビ放送信号から除去すれば、オフセット周波数の信号成分だけでなく、妨害映像信号そのものの成分をも含んだ信号を、テレビ放送信号から除去することができるため、従来よりもテレビ放送信号に基づく映像の画質を向上させることができる。
【００１９】
また、上述した各フィルタのうち、第２，第４フィルタは、第１，第３フィルタ部を通過しない特定の周波数成分を選択的に通過させるため、妨害波映像信号に相当する信号成分として、妨害波映像信号における水平周波数の成分のうちの一部が含まれた信号を生成することができる。そのため、こうして生成された信号成分をテレビ放送信号から除去すれば、妨害波映像信号における水平周波数の成分をテレビ放送信号から除去することができる。例えば、妨害波映像信号に基づく映像に、縦方向に同一色で形成された領域（例えば、字幕など）が含まれている場合、この領域が、妨害波映像信号の信号レベルに応じた縦方向の妨害映像となって、希望波映像信号に基づく映像に重なってしまうことがある。テレビ放送における映像は、水平同期周波数の周期で走査することで形成されることから、妨害波映像信号における水平周波数の成分を除去できることは、上述した妨害映像を除去して、テレビ放送信号に基づく映像の画質をより一層向上させるために好適である。
【００２０】
さらに、第１，第２レベル変更部によって、第２，第４フィルタ部から出力される信号の信号レベルに応じて、第２，第４フィルタ部から第１，第２加算部へ入力される信号の信号レベルを変更することができる。そのため、例えば、第２，第４フィルタ部から出力される信号、つまり、妨害波映像信号における水平周波数の信号成分に基づく映像が、妨害映像として視覚的に大きな影響を与えると想定される信号レベルを、上述のしきい値として設定しておけばよい。このようなしきい値を設定すれば、妨害波映像信号における水平周波数の成分に基づく妨害映像が視覚的に大きな影響を与えない場合は、妨害波生成装置が生成する信号に含まれる水平周波数の成分を少なくすることができ、妨害映像が視覚的に大きな影響を与える場合には、妨害波生成装置が生成する信号に含まれる水平周波数の成分を多くすることができる。
【００２１】
ところで、本妨害波生成装置においては、第２，第４フィルタ部から第１，第２加算部へ入力される信号の信号レベルが大きい場合、妨害波映像信号に相当する信号成分として生成される信号に含まれる水平周波数成分が、本来妨害波映像信号に含まれている水平周波数成分よりも多くなってしまう場合がある。このような場合には、本妨害波除去装置により生成した信号成分をテレビ放送信号から除去する際、希望波映像信号に含まれる成分の一部をも除去してしまう恐れがある。
【００２２】
そこで、請求項２に記載のように、第２，第４フィルタ部それぞれを特定の周波数成分が通過する際の減衰度を、第１，第３フィルタ部の減衰度よりも高く設定しておくとよい。
このように構成された妨害波除去装置によれば、第２，第４フィルタ部から出力される信号の信号レベルは、第１，第３フィルタ部から出力される信号の信号レベルよりも大きく減衰されるため、第２，第４フィルタ部から第１，第２加算部へ入力される信号の信号レベルが大きくなりにくい。よって、妨害波映像信号に相当する信号成分として生成される信号に含まれる水平周波数成分が、本来妨害波映像信号に含まれている水平周波数成分よりも多くなるといったことも起こりにくい。
【００２３】
なお、上述した第１，第２レベル変更部は、第２，第４フィルタ部から出力される信号の信号レベルに応じて、第２，第４フィルタ部から第１加算部へ出力（入力）される信号のレベルを、第１，第３レベルまたは第２，第４レベルに変更する手段であって、具体的には、請求項３に記載のように構成するとよい。
【００２４】
請求項３に記載の妨害波生成装置は、第１，第２レベル変更部それぞれが、第２，第４フィルタ部から出力される信号の信号レベルが所定のしきい値以下である場合、第２，第４フィルタ部から第１，第２加算部へそれぞれ出力される信号の信号レベル（第１，第３レベル）を「０」とする一方、所定のしきい値より大きい場合、第２，第４フィルタ部から出力される信号の信号レベルを、そのまま第２，第４フィルタ部から第１，第２加算部へそれぞれ出力される信号の信号レベル（第２，第４レベル）とする。
【００２５】
このように構成された妨害波生成装置によれば、第１，第２レベル変更部によって、第２，第４フィルタ部から出力される信号の信号レベルが所定のしきい値より大きい場合のみ、第２，第４フィルタ部から出力される信号を第１，第２加算部へそれぞれ入力することができる。上述したように、妨害波映像信号における水平周波数の成分は、信号レベルに応じた縦方向の妨害映像となるため、第２，第４フィルタ部から出力される信号の信号レベルが小さいほど、希望波映像信号に基づく映像に重なる妨害映像の視覚的な影響が小さくなる。そのため、視覚的に影響がなくなると想定される信号レベルを上述のしきい値に設定しておけば、妨害映像の視覚的な影響があると想定される場合のみ、第２，第４フィルタ部から第１，第２加算部へ信号が入力されるようにすることができる。
【００２６】
また、上述した第１，第２レベル変更部は、請求項４に記載のように構成してもよい。
請求項４に記載の妨害波生成装置は、第１，第２レベル変更部それぞれが、第２，第４フィルタ部から出力される信号の信号レベルが所定のしきい値以下である場合、第２，第４フィルタ部それぞれを特定の周波数成分が通過する際の減衰度を、所定の第１減衰度に変更することによって、第２，第４フィルタ部から第１，第２加算部へそれぞれ出力される信号の信号レベルを第１，第３レベルとする。また、信号レベルが所定のしきい値より大きければ、第２，第４フィルタ部それぞれを特定の周波数成分が通過する際の減衰度を、第１減衰度よりも低い第２減衰度に変更することによって、第２，第４フィルタ部から第１，２加算部へそれぞれ出力される信号の信号レベルを第２，第４レベルとする。
【００２７】
このように構成された妨害波生成装置によれば、第１，第２レベル変更部によって、第２，第４フィルタ部から出力される信号レベルに応じて、第２，第４フィルタ部の減衰度を変更することで第１，第２加算部へ入力される信号の信号レベルを変更することができる。
【００２８】
また、請求項５に記載の妨害波除去装置は、直交検波部、妨害波生成部および妨害波除去部からなり、まず、直交検波部が、希望波映像信号および妨害波映像信号それぞれが所定の周波数オフセットされた第１，第２搬送波に重畳されてなるＩＦ（Intermediate Frequency）帯域のテレビ放送信号を直交検波することによって、このテレビ放送信号における第１搬送波の同相成分であるＩ（In phase）信号および直交成分であるＱ信号を生成する。続いて、妨害波生成部が、直交検波部により生成されたＱ信号に基づいて、テレビ放送信号の第２搬送波に重畳された妨害波映像信号に相当する信号成分を生成する。そして、妨害波除去部が、直交検波部により生成されたＩ信号から、妨害波生成部により生成された妨害波映像信号に相当する信号成分を除去する。この妨害波除去装置における妨害波生成部は、請求項１から請求項４のいずれかに記載の妨害波生成装置により構成されている。
【００２９】
このように構成された妨害波除去装置によれば、妨害波生成部によって、請求項１から請求項４のいずれかに記載の妨害波生成装置が生成する信号成分と同様の信号成分を生成することができる。そのため、妨害波除去部により、妨害波生成部により生成された信号成分をＩ信号から除去することによって、テレビ放送信号（Ｉ信号）から、オフセット周波数の信号成分だけでなく、妨害映像信号そのものの成分をも含んだ信号を除去することができ、従来よりもテレビ放送信号に基づく映像の画質を向上させることができる。
【００３０】
また、この妨害波除去装置は、請求項６に記載のように、ＲＦ（Radio Frequency ）帯域のテレビ放送信号を選局・受信してＩＦ帯域に変換し、該ＩＦ帯域のテレビ放送信号を直交検波部へ出力するチューナ部と、妨害波除去部により妨害波映像信号に相当する信号成分が除去されたＩ信号をＲＦ帯域に変調するＲＦ変調部とを備えているとよい。
【００３１】
このように構成された妨害波除去装置によれば、チューナ部によって、ＲＦ帯域のテレビ放送信号を選局・受信してＩＦ帯域に変換することができ、ＲＦ変調部によって、Ｉ信号を再度ＲＦ帯域に変調し直すことができる。
また、請求項７に記載の妨害波除去装置は、Ｑ信号生成部、妨害波生成部、ＩＦ変調部および妨害波除去部からなり、まず、Ｑ信号生成部が、希望波映像信号および妨害波映像信号それぞれが所定の周波数オフセットされた第１，第２搬送波に重畳されてなるＩＦ帯域のテレビ放送信号から、テレビ放送信号における第１搬送波を再生し、この再生した第１搬送波を９０度移相して検波することによりＱ信号を生成する。続いて、妨害波生成部が、Ｑ信号生成部により生成されたＱ信号に基づいて、テレビ放送信号の第２搬送波に重畳された妨害波映像信号に相当する信号成分を生成する。続いて、ＩＦ変調部が、妨害波生成部により生成された妨害波映像信号に相当する信号成分をＩＦ帯域に変調する。そして、妨害波除去部が、ＩＦ帯域のテレビ放送信号から、ＩＦ変調部により変調されたＩＦ帯域の信号成分を除去する。この妨害波除去装置において、妨害波生成部は、請求項１から請求項４のいずれかに記載の妨害波生成装置により構成されている。
【００３２】
このように構成された妨害波除去装置によれば、妨害波生成部によって、請求項１から請求項４のいずれかに記載の妨害波生成装置が生成する信号成分と同様の信号成分を生成することができる。そのため、妨害波除去部により、妨害波生成部により生成された信号成分をテレビ放送信号から除去することによって、テレビ放送信号から、オフセット周波数の信号成分だけでなく、妨害映像信号そのものの成分をも含んだ信号を除去することができ、従来よりもテレビ放送信号に基づく映像の画質を向上させることができる。さらに、請求項５に記載の妨害波除去装置とは異なり、Ｉ信号の生成・処理に構成が必要ないため、妨害波除去装置としての構成を単純化できる。
【００３３】
また、この妨害波除去装置は、請求項８に記載のように、希望波映像信号および妨害波映像信号それぞれが所定の周波数オフセットされた第１，第２搬送波に重畳されてなるＲＦ帯域のテレビ放送信号を選局・受信してＩＦ帯域に変換するチューナ部と、妨害波除去部により妨害映像信号に相当する信号成分が除去されたテレビ放送信号をＲＦ帯域に変調するＲＦ変調部とを備えているとよい。
【００３４】
このように構成された妨害波除去装置によれば、チューナ部によって、ＲＦ帯域のテレビ放送信号を選局・受信してＩＦ帯域に変換することができ、ＲＦ変調部によって、テレビ放送信号を再度ＲＦ帯域に変調し直すことができる。
【００３５】
【発明の実施の形態】
次に本発明の実施の形態について例を挙げて説明する。
妨害波除去装置１は、図１に示すように、チューナ部１０、直交検波部２０、アナログ−デジタル（以降、Ａ／Ｄとする）変換部３２，３４、デジタル−アナログ（以降、Ｄ／Ａとする）変換部３６、信号処理部４０、ＲＦ変調部５０および音声遅延調整部６０などを備えている。
【００３６】
チューナ部１０は、ＲＦ（Radio Frequency ）帯域のテレビ放送信号を選局・受信してＩＦ（Intermediate Frequency）帯域に変換し、この変換したＩＦ帯域のテレビ放送信号を直交検波部２０へ出力する。ここで、チューナ部１０がＩＦ帯域に変換したテレビ放送信号は、映像信号として、希望波映像信号および妨害波映像信号それぞれが所定の周波数（１０．０１ｋＨｚ；以降、オフセット周波数とする）オフセットされた第１，第２搬送波に重畳された信号である。なお、このテレビ放送信号に含まれる音声信号については、チューナ部１０によりＩＦ帯域に変換された後、音声遅延調整部６０により遅延調整されてからＲＦ変調部５０へ出力される。
【００３７】
直交検波部２０は、チューナ部１０から入力されたＩＦ帯域のテレビ放送信号に基づき第１搬送波を再生するキャリア再生部２２、キャリア再生部２２により再生された第１搬送波でテレビ放送信号を検波することにより第１搬送波の同相成分であるＩ（In phase）信号を生成する第１検波部２４、キャリア再生部２２により再生された第１搬送波の位相を９０度（π／２ｒａｄ）移相させる移相部２６、移相部２６で移相された第１搬送波でテレビ放送信号を検波することにより第１搬送波の直交成分であるＱ（Quadrature phase）信号を生成する第２検波部２８などからなる。この直交検波部２０は、Ｉ信号をＡ／Ｄ変換部３２を介して信号処理部４０へ出力し、Ｑ信号をＡ／Ｄ変換部３４を介して信号処理部４０へ出力する。なお、直交検波部２０により生成されるＩ信号は、希望波映像信号の成分、妨害波映像信号の成分、および、オフセット周波数の成分からなる信号成分であって、Ｑ信号は、妨害波映像信号の成分、および、第２搬送波が第１搬送波に対してオフセットされている周波数の成分からなる信号成分である。
【００３８】
信号処理部４０は、図２に示すように、直交検波部２０からＡ／Ｄ変換部３４を介して入力したＱ信号に基づきテレビ放送信号の第２搬送波に重畳された妨害波映像信号に相当する信号成分を生成する妨害波生成部４２、直交検波部２０からＡ／Ｄ変換部３２を介して入力したＩ信号の遅延調整を行うＩ信号遅延調整部４４、Ｉ信号遅延調整部４４で遅延調整されたＩ信号から妨害波生成部４２で生成した信号成分を減算して除去する妨害波除去部４６などからなる集積回路である。また、この信号処理部４０は、妨害波除去部４６により妨害波映像信号に相当する信号成分を除去したＩ信号を、Ｄ／Ａ変換部３６を介してＲＦ変調部５０へ出力する。なお、Ｄ／Ａ変換部３６から出力される信号はベースバンド帯域の信号となる。
【００３９】
ＲＦ変調部５０は、Ｄ／Ａ変換部３６を介して入力したＩＦ帯域の信号、および、チューナ部１０から音声遅延調整部６０を介して入力したＩＦ帯域の音声信号を混合した後、ＲＦ帯域に変調して端末装置（例えば、テレビなど）へ出力する。
【００４０】
以下に、上述した信号処理部４０における妨害波生成部４２の各構成を図２に基づいて説明する。この妨害波生成部４２は、発振部１００、第１乗算部１１０、第１フィルタ部１１２、第２フィルタ部１１４、第１加算部１１６、第２乗算部１１８、余弦遅延調整部１２０、第３乗算部２１０、第３フィルタ部２１２、第４フィルタ部２１４、第２加算部２１６、第４乗算部２１８、正弦遅延調整部２２０、レベル変更部３１０、差成分生成部３２０などで構成される。なお、この妨害波生成部４２は、本発明における妨害波生成装置に相当するものである。
【００４１】
これらのうち、発振部１００は、オフセット周波数（１０．０１ｋＨｚ）の正弦波信号、および、この正弦波信号に対して９０度移相した余弦波信号を出力する。
また、第１乗算部１１０は、Ａ／Ｄ変換部３４を介して直交検波部２０から入力されたＱ信号、および、発振部１００から出力される正弦波信号を入力して、両信号を乗算した信号を出力する。なお、この第１乗算部１１０から出力される信号は、Ｑ信号の周波数帯域が発振部１００の発振周波数分だけシフトされた信号であって、発振部１００から出力される各信号はＱ信号と同期していないことから、Ｑ信号に対して位相がズレた信号となっている。
【００４２】
また、第１フィルタ部１１２は、水平同期周波数および水平同期周波数の高調波（以降、水平周波数とする）の成分を選択的に通過させて出力する特性の櫛型フィルタである（図３（ａ）参照；縦軸−ゲイン、横軸−周波数）。この第１フィルタ部１１２は、第１乗算部１１０から信号を入力して、この信号のうち水平周波数に相当する成分（水平周波数に発振部１００の発信周波数を加えた周波数の成分）、および、オフセット周波数の成分の通過を阻止して、この阻止した成分以外の成分を通過させる。こうして、第１フィルタ部１１２から出力される信号は、Ｑ信号から、水平周波数に相当する成分およびオフセット周波数の成分を除去した残りの信号成分である。このような信号成分は、妨害波映像信号から水平周波数の成分およびオフセット周波数の成分が除去された残りの成分について、周波数帯域を発振部１００の発信周波数分だけシフトした信号成分を示している。
【００４３】
また、第２フィルタ部１１４は、通過可能な周波数が第１フィルタ部１１２を通過可能な周波数よりも水平周波数の１／２だけズレており、また、ゲインが第１フィルタ部１１２よりも低く設定（第１フィルタ部１１２「１」に対して「０．５」）された櫛型フィルタである（図３（ｂ）参照；縦軸−ゲイン、横軸−周波数）。この第２フィルタ部１１４は、第１乗算部１１０から信号を入力して、この信号のうち、水平周波数に発振部１００の発信周波数および水平同期周波数の１／２を加えた周波数付近の成分、具体的には、水平周波数に相当する成分の一部を通過させる。こうして、第２フィルタ部１１４から出力される信号は、Ｑ信号のうちの水平周波数に相当する信号成分の一部である。このような信号成分は、妨害波映像信号における水平周波数の信号成分の一部について、周波数帯域を発振部１００の発信周波数分だけシフトした信号成分を示している。
【００４４】
また、第１加算部１１６は、第１フィルタ部１１２から出力される信号、および、第２フィルタ部１１４から出力される信号を入力して、両信号を加算した信号を出力する。
また、第２乗算部１１８は、第１加算部１１６から出力される信号、および、この信号に発振部１００から出力される余弦波信号を同期させた信号（余弦遅延調整部１２０によって、発振部１００から出力される余弦波信号を第１加算部１１６から出力される信号に同期させた信号）を入力して、両信号を乗算した信号を出力する。こうして、第２乗算部１１８から出力される信号は、第１加算部１１６から出力された信号の周波数帯域がオフセット周波数分だけシフトし直された信号である。
【００４５】
また、第３乗算部２１０は、Ａ／Ｄ変換部３４を介して直交検波部２０から入力されたＱ信号、および、発振部１００から出力される余弦波信号を入力して、両信号を乗算した信号を出力する。なお、この第３乗算部２１０から出力される信号は、第１乗算部１１０から出力される信号と同様に、Ｑ信号の周波数帯域がオフセット周波数分だけシフトされた信号であって、Ｑ信号に対して位相がズレた信号となっている。
【００４６】
また、第３フィルタ部２１２は、上述の第１フィルタ部１１２と同じ特性の櫛型フィルタである（図３（ａ）参照）。この第３フィルタ部２１２から出力される信号は、第１フィルタ部１１２と同様に、Ｑ信号から、水平周波数に相当する成分およびオフセット周波数の成分を除去した残りの信号成分である。
【００４７】
また、第４フィルタ部２１４は、上述の第２フィルタ部１１４と同じ特性の櫛型フィルタである（図３（ｂ）参照）。この第４フィルタ部２１４から出力される信号は、第２フィルタ部１１４と同様に、Ｑ信号のうちの水平周波数に相当する信号成分の一部である。
【００４８】
また、第２加算部２１６は、第３フィルタ部２１２から出力される信号、および、第４フィルタ部２１４から出力される信号を入力して、両信号を加算した信号を出力する。
また、第４乗算部２１８は、第２加算部２１６から出力される信号、および、この信号に発振部１００から出力される正弦波信号を同期させた信号（正弦遅延調整部２２０によって、発振部１００から出力される正弦波信号を第２加算部２１６から出力される信号に同期させた信号）を入力して、両信号を乗算した信号を出力する。こうして、第４乗算部２１８から出力される信号は、第２加算部２１６から出力された信号の周波数帯域がオフセット周波数分だけシフトし直された信号である。
【００４９】
また、レベル変更部３１０は、各フィルタ部から出力される信号の信号レベルに基づいて演算を行う演算部３１２、第２フィルタ部１１４から第１加算部１１６へ至る経路を開閉する第１スイッチ部３１４、第４フィルタ部２１４から第２加算部２１６へ至る経路を開閉する第２スイッチ部３１６、第１，第２スイッチ部３１４，３１６を動作させる動作指令部３１８などからなる。このレベル変更部３１０は、演算部３１２による演算結果に応じて、動作指令部３１８により第１，第２スイッチ部３１４，３１６をＯＮ側またはＯＦＦ側に切り替える。ここで、演算部３１２は、第１フィルタ部１１２の出力Ｘ１、第２フィルタ部１１４の出力Ｘ２、第３フィルタ部２１２の出力Ｙ１、第４フィルタ部２１４の出力Ｙ２として、「ｋ＝（Ｘ２2＋Ｙ２2）／（Ｘ１2＋Ｙ１2）」で示される演算式により演算値ｋを演算する。そして、動作指令部３１８は、演算部３１２の演算結果で演算値ｋがしきい値「０．１５」以上であれば、第１，第２スイッチ部３１４，３１６をＯＮ側に切り替えて各経路を閉じる。一方、演算値ｋが「０．１５」より小さければ、第１，第２スイッチ部３１４，３１６をＯＦＦ側に切り替えて各経路を開く。なお、このレベル変更部３１０は、本発明における第１，第２レベル変更手段であって、各フィルタ部から出力される信号の信号レベルそれぞれの比に基づいて決まる値がしきい値「０．１５」となった状態のときに、第２，第４フィルタ部から出力される信号の信号レベルを示す値が、本発明において第２，第４フィルタ部から第１，第２加算部へ出力される信号の信号レベルを変更する際の「しきい値」である。
【００５０】
そして、差成分生成部３２０は、第２乗算部１１８から出力される信号、および、第４乗算部２１８から出力される信号を入力して、両信号の差を示す成分の信号を妨害波映像信号に相当する信号成分として出力する。ここでは、第２乗算部１１８の出力信号から、第４乗算部２１８の出力信号を減算することによって、両信号の差を示す信号成分を生成する。こうして、差成分生成部３２０により出力（生成）される信号は、オフセット周波数の成分、および、妨害波映像信号における水平周波数の成分のうちの一部が含まれた信号である。また、この信号は、第２，第４乗算部１１８，２１８から出力される信号それぞれの差をとることによって、各信号のＱ信号に対する位相のズレが打ち消された信号となっている。
【００５１】
このような構成の妨害波生成部４２へＩ信号およびＱ信号が入力される毎にレベル変更部３１０が実行する処理手順を図４に基づいて説明する。
まず、各フィルタ部からの出力に基づいて演算を行う（ｓ１１０）。ここでは、上述した演算式（ｋ＝（Ｘ２2＋Ｙ２2）／（Ｘ１2＋Ｙ１2））により演算部３１２が演算値ｋを演算する。
【００５２】
次に、ｓ１１０の処理で演算された演算値ｋが「０．１５」以上（０．１５≦ｋ）であれば（ｓ１２０：ＹＥＳ）、第１，第２スイッチ部３１４，３１６をＯＮ側に切り替えることによって、第２フィルタ部１１４から第１加算部１１６へ至る経路、および、第４フィルタ部２１４から第２加算部２１６へ至る経路を閉じる（ｓ１３０）。これによって、第１加算部１１６からは、第１，第２フィルタ部１１２，１１４それぞれから出力された信号が加算された成分が出力され、第２加算部２１６からは、第３，第４フィルタ部２１２，２１４それぞれから出力された信号が加算された成分が出力されるようになる。
【００５３】
一方、ｓ１１０の処理で演算された演算値ｋが「０．１５」より小さい（ｋ＜０．１５）であれば（ｓ１２０：ＮＯ）、第１，第２スイッチ部３１４，３１６をＯＦＦ側に切り替えることによって、第２フィルタ部１１４から第１加算部１１６へ至る経路、および、第４フィルタ部２１４から第２加算部２１６へ至る経路を開く（ｓ１４０）。これによって、第１加算部１１６からは、第１フィルタ部１１２から出力された信号が加算された成分のみが出力され、第２加算部２１６からは、第３フィルタ部２１２から出力された信号が加算された成分のみが出力されるようになる。
【００５４】
［効果］
このように構成された妨害波除去装置１によれば、信号処理部４０の妨害波生成部４２によって、オフセット周波数（第１,第２搬送波のオフセットされた周波数）の成分、および、妨害波映像信号における成分の一部が含まれた信号を、妨害波映像信号に相当する信号成分（つまり、テレビ放送信号（Ｉ信号）から除去すべき信号成分）として生成することができる。そして、こうして妨害波生成部４２により生成された信号成分を、妨害波除去部４６によりＩ信号から除去することによって、オフセット周波数の信号成分だけでなく、妨害映像信号そのものの成分をも含んだ信号をＩ信号から除去することができる。そのため、従来よりもテレビ放送信号に基づく映像の画質を向上させることができる。
【００５５】
また、妨害波生成部４２の各フィルタのうち、第２，第４フィルタ部１１４，２１４は、第１フィルタ部１１２よりも水平同期周波数の１／２だけズレ周波数を選択的に通過させるため、妨害波生成部４２により生成される信号成分には、妨害波映像信号における水平周波数の成分のうちの一部が含まれることになる。そして、こうして妨害波生成部４２により生成された信号成分を妨害波除去部４６によりＩ信号から除去することによって、妨害波映像信号における水平周波数の成分をＩ信号から除去することができる。例えば、妨害波映像信号に基づく映像に、縦方向に同一色で形成された領域（例えば、字幕など）が含まれている場合、この領域が、妨害波映像信号の信号レベルに応じた縦方向の妨害映像となって、希望波映像信号に基づく映像に重なってしまうことがある。テレビ放送における映像は、水平同期周波数の周期で走査することで形成されることから、妨害波映像信号における水平周波数の成分を除去できることは、上述した妨害映像を除去して、テレビ放送信号に基づく映像の画質をより一層向上させるために好適である。
【００５６】
また、妨害波生成部４２のレベル変更部３１０によって、第２，第４フィルタ部１１４，２１４から出力される信号を第１，第２加算部１１６，２１６へそれぞれ入力させるか否かを演算値ｋに応じて変更することができる。具体的には、演算値ｋがしきい値（０．１５）より小さい場合は、第２，第４フィルタ部１１４，２１４から第１，第２加算部１１６，２１６へそれぞれ出力される信号の信号レベル（本発明における第１，第３レベル）を「０」とすることができる。一方、演算値ｋがしきい値以上の場合には、第２，第４フィルタ部１１４，２１４から出力される信号の信号レベルを、そのまま第２、第４フィルタ部１１４，２１４から第１，第２加算部１１６，１１８へそれぞれ出力される信号の信号レベル（本発明における第２，第３レベル）とすることができる。上述したように、妨害波映像信号における水平周波数の成分は、信号レベルに応じた縦方向の妨害映像となるため、第２，第４フィルタ部１１４，２１４から出力される信号の信号レベルが小さいほど、希望波映像信号に重なる妨害映像の視覚的な影響が小さくなる。そのため、視覚的に影響がなくなる信号レベルとなったときの演算値ｋを上述のしきい値に設定しておけば、妨害映像の視覚的な影響があると想定される場合のみ、第２，第４フィルタ部１１４，２１４から第１，第２加算部１１６，２１６へ信号が入力されるようにすることができる。
【００５７】
このように構成された妨害波除去装置によれば、第２，第４フィルタ部１１４，２１４から出力される信号の信号レベルは、第１，第３フィルタ部１１２，２１２から出力される信号の信号レベルよりも大きく減衰されるため、第２，第４フィルタ部１１４，２１４から第１，第２加算部１１６，２１６へ入力される信号の信号レベルが大きくなりにくい。よって、妨害波映像信号に相当する信号成分として生成される信号に含まれる水平周波数成分が、本来妨害波映像信号に含まれている水平周波数成分よりも多くなるといったことも起こりにくい。上述の妨害波生成部４２においては、第２，第４フィルタ部１１４，２１４から第１，第２加算部１１６，２１６へ入力される信号の信号レベルが大きい場合、妨害波生成部４２が生成する信号成分に含まれる水平周波数の成分が、本来妨害波映像信号に含まれている水平周波数の成分よりも大きな信号レベルになってしまう場合がある。このような場合には、妨害波生成部４２により生成した信号成分を妨害波除去部４６によりＩ信号から除去すると、希望波映像信号に含まれる成分の一部をも除去してしまう恐れがある。そのため、第２，第４フィルタ部１１４，２１４から第１，第２加算部１１６，２１６へ入力される信号の信号レベルが大きくなりにくくなっていることは、テレビ放送信号に基づく映像の画質を向上させるためには好適である。
【００５８】
［変形例］
以上、本発明の実施形態について説明したが、本発明は上記の具体的な実施形態に限定されず、このほかにも様々な形態で実施することができる。
例えば、上記実施形態においては、妨害波除去部４６がＩ信号から差成分生成部３２０の出力信号を減算することによって、妨害波映像信号に相当する信号成分を除去するように構成されたものを例示した。しかし、妨害波除去部４６は、差成分生成部３２０からの出力によっては、Ｉ信号に差成分生成部３２０の出力信号を加算することによって、妨害波映像信号に相当する信号成分を除去するように構成してもよい。ここで、「差成分生成部３２０からの出力によって」とは、例えば、差成分生成部３２０が、妨害波映像信号に対して１８０度移相した信号成分を出力するように構成されている場合などである。
【００５９】
また、上記実施形態においては、妨害波生成部４２のレベル変更部３１０が、「ｋ＝（Ｘ２2＋Ｙ２2）／（Ｘ１2＋Ｙ１2）」で示される演算式により演算値ｋを演算するように構成されたものを例示した。しかし、演算値ｋを演算するための演算式は、特に限定されない。例えば、「ｋ＝（｜Ｘ２｜＋｜Ｙ２｜）／（｜Ｘ１｜＋｜Ｙ１｜）」で示される演算式を採用してもよい。
【００６０】
また、上記実施形態において、妨害波生成部４２のレベル変更部３１０が第１，第２スイッチ部３１４，３１６をＯＮ側またはＯＦＦ側に切り替えるためのしきい値は、任意に変更可能に構成するとよい。
また、上記実施形態においては、妨害波生成部４２のレベル変更部３１０が、各フィルタ部から出力される信号の信号レベルに基づいて、第１，第２スイッチ部３１４，３１６をＯＮ側またはＯＦＦ側に切り替えるように構成されたものを例示した。しかし、レベル変更部３１０は、第１，第２フィルタ部１１２，１１４、または、第３，第４フィルタ部２１２，２１４それぞれから出力される信号の信号レベルのみに基づいて、第１，第２スイッチ部３１４，３１６をＯＮ側またはＯＦＦ側に切り替えるように構成してもよい。この場合、第１，第２フィルタ部１１２，１１４それぞれの出力の比（Ｘ２／Ｘ１）を示す値、または、第３，第４フィルタ部２１２，２１４それぞれの出力の比（Ｙ２／Ｙ１）を示す値が、特定の値以上であれば各経路を閉じて、特定の値より小さければ各経路を開くようにすればよい。
【００６１】
また、上記実施形態においては、レベル変更部３１０が、第１，第２スイッチ部３１４，３１６をＯＮ側またはＯＦＦ側に切り替えることによって、第２，第４フィルタ部１１４，２１４から第１，第２加算部１１６，２１６へ入力される信号の信号レベルを変更するように構成されたものを例示した。しかし、第２，第４フィルタ部１１４，２１４から第１，第２加算部１１６，２１６へ入力される信号の信号レベルを変更するためには、例えば、図５に示した妨害波生成部５８のように、第２，第４フィルタ部１１４，２１４を外部からの指令でゲインを変更可能に構成すると共に、第１，第２スイッチ部３１４，３１６の替わりに、第２，第４フィルタ部１１４，２１４に対してゲインの変更を指令する変更指令部４１２が設けられたレベル変更部４１０を備えるとよい。そして、演算値ｋがしきい値より小さい場合は、第２，第４フィルタ部１１４，２１４それぞれのゲインを「０」（つまり、信号が通過する際の減衰度を最大）に変更させることによって、第２，第４フィルタ部１１４，２１４から第１，第２加算部１１６，２１６それぞれへ入力される信号の信号レベルを「０」に変更する。一方、演算値ｋがしきい値以上の場合には、第２，第４フィルタ部１１４，２１４それぞれのゲインを「１」（つまり、信号が通過する際の減衰度を最小）に変更させることによって、第２，第４フィルタ部１１４，２１４から第１，第２加算部１１６，２１６それぞれへ入力される信号の信号レベルを、第２，第４フィルタ部１１４，２１４から出力された信号の信号レベルそのものに変更する。
【００６２】
このように構成すれば、レベル変更部４１０によって、第２，第４フィルタ部１１４，２１４から出力される信号レベルに応じて、第２，第４フィルタ部１１４，２１４のゲイン（減衰度）を変更することで第１，第２加算部１１６，２１４へ入力される信号の信号レベルを変更することができる。
【００６３】
また、上記実施形態においては、テレビ放送信号における希望波映像信号および妨害波映像信号が、全て信号処理部４０によりデジタル信号として処理されるように構成されたものを例示した。しかし、希望波映像信号および妨害波映像信号は、一部信号成分がアナログ信号として処理されるように構成してもよい。具体的な構成としては、例えば、図６に示す妨害波除去装置２のように、チューナ部１０、Ｑ信号生成部７０、Ａ／Ｄ変換部３４、妨害波生成部４２、Ｄ／Ａ変換部３６、ＡＭ変調部８０、映像遅延調整部８２、妨害波除去部８４、音声遅延調整部６０、第１周波数変換部８６、加算部８８、第２周波数変換部９０などにより構成する。なお、上記実施形態と同一の添え字となっている構成は、実施形態と同一の構成であるため詳細な説明は省略する。
【００６４】
この構成の妨害波除去装置２において、妨害波生成部４２は、上述の妨害波除去装置１の信号処理部４０を構成する妨害波生成部４２のみで構成される集積回路である。また、ＡＭ変調部８０は、妨害波生成部４２により生成された妨害波映像信号に相当する信号成分を、Ｑ信号生成部７０のキャリア再生部７２により再生された第１搬送波に基づいてＡＭ変調する。また、妨害波除去部８４は、上述の妨害波除去装置１の信号処理部４０を構成する妨害波除去部４６と同様に、映像遅延調整部８２により遅延されたＩＦ帯域のテレビ放送信号からＡＭ変調部８０により変調された信号成分を減算して除去する。また、第１周波数変換部８６は、音声遅延調整部６０により遅延された音声信号を、テレビ放送信号と重ならないように周波数変換する。また、加算部８８は、妨害波除去部８４により妨害波映像信号に相当する信号成分が除去されたテレビ放送信号と、第１周波数変換部８６から入力した音声信号とを加算する。また、第２周波数変換部９０は、加算部８８から入力した信号成分の周波数帯域を所定のチャネルにおける周波数帯域に変換する。また、Ｑ信号生成部７０は、チューナ部１０から入力されたＩＦ帯域のテレビ放送信号に基づき第１搬送波を再生するキャリア再生部７２、キャリア再生部７２により再生された第１搬送波の位相を９０度（π／２ｒａｄ）移相させる移相部７６、移相部７６で移相された第１搬送波でテレビ放送信号を検波することにより第１搬送波の直交成分であるＱ信号を生成する検波部７８などからなる。
【００６５】
このように構成しても妨害波除去装置１と同様の作用・効果を得ることができる。さらに、Ｉ信号の生成・処理に拘わる構成が必要ないため、妨害波除去装置としての構成（特に、集積回路）を単純化できる。
【図面の簡単な説明】
【図１】実施形態における妨害波除去装置の制御系統を示すブロック図
【図２】信号処理部の制御系統を示すブロック図
【図３】第１，第３フィルタ部（ａ）および第２，第４フィルタ部（ｂ）の特性を示すグラフ
【図４】妨害波生成部のレベル変換部により実行される処理手順を示すフローチャート
【図５】別の実施形態における妨害波生成部の制御系統を示すブロック図
【図６】別の実施形態における妨害波除去装置の制御系統を示すブロック図
【符号の説明】
１・・・妨害波除去装置、１０・・・チューナ部、２０・・・直交検波部、２２・・・キャリア再生部、２４・・・第１検波部、２６・・・移相部、２８・・・第２検波部、３２，３４・・・Ａ／Ｄ変換部、３６・・・Ｄ／Ａ変換部、４０・・・信号処理部、４２・・・妨害波生成部、４４・・・Ｉ信号遅延調整部、４６・・・妨害波除去部、５０・・・ＲＦ変調部、５８・・・妨害波生成部、６０・・・音声遅延調整部、７０・・・Ｑ信号生成部、７２・・・キャリア再生部、７６・・・移相部、７８・・・検波部、８０・・・ＩＦ変調部、８２・・・妨害波除去部、８４・・・映像遅延調整部、１００・・・発振部、１１０・・・第１乗算部、１１２・・・第１フィルタ部、１１４・・・第２フィルタ部、１１６・・・第１加算部、１１８・・・第２乗算部、１２０・・・余弦遅延調整部、２１０・・・第３乗算部、２１２・・・第３フィルタ部、２１４・・・第４フィルタ部、２１６・・・第２加算部、２１８・・・第４乗算部、２２０・・・正弦遅延調整部、３１０・・・レベル変更部、３１２・・・演算部、３１４・・・第１スイッチ部、３１６・・・第２スイッチ部、３１８・・・動作指令部、３２０・・・差成分生成部、４１０・・・レベル変更部、４１２・・・変更指令部。
【図１】
0003703452.tif 000002
【図２】
0003703452.tif 000003
【図３】
0003703452.tif 000004
【図４】
0003703452.tif 000005
【図５】
0003703452.tif 000006
【図６】
0003703452.tif 000007